(57)【要約】【課題】ハウジングに配線板状部材が差し込まれるコネクタ装置であって、製造コストの低減を図ることができるもとで、配線板状部材に対するハウジングからの不所望な抜脱を阻止するための係止及びその係止の解除を確実に行えるものを提供する。【解決手段】板状部材差込み部１２が設けられるとともに複数のコンタクトが配列配置されたハウジング１１と、ハウジング１１を覆う導電性シェル１４とを備え、導電性シェル１４に形成されたロック部２０が板状部材差込み部１２を通じてハウジング１１に差し込まれたフレキシブル印刷配線基板４０を係止したもとで、ハウジング１１に一体的に設けられたロック解除部３０の一方の端部３２が導電性シェル１４内に向かう方向に押圧されるとき、ロック解除部３０が移動して、その他方の端部がロック部２０にフレキシブル印刷配線基板４０に対する係止を解除させる。【選択図】図１７
2011040246.tif 000002
【特許請求の範囲】
【請求項１】
板状部材差込み部が設けられて配線基板上に配されるハウジングと、
該ハウジング内に配列配置されて、上記配線基板に設けられた配線端子に連結される状態をとり、配線板状部材が上記板状部材差込み部を通じて上記ハウジングに差し込まれたとき、上記ハウジングに差し込まれた配線板状部材における複数の接続端子部に接触接続される複数のコンタクトと、
上記ハウジングにおける上記板状部材差込み部が設けられた部分及びその周囲部分を除く他の部分の表面の大部分を覆うものとして配されて、上記配線基板に設けられた接地端子に連結される状態をとり、上記ハウジング内に伸びて該ハウジングに上記板状部材差込み部を通じて差し込まれた配線板状部材を係止する状態をとるロック部が形成された導電性シェルと、
上記ハウジングと一体的に形成されて移動可能に設けられ、一端部が上記ハウジングにおける上記配線基板に対接する一端面部に対向する他端面部側において上記導電性シェルの外方に突出するとともに、他端部が上記ロック部に係合するロック解除部と、
を備えて成り、
上記ロック部が上記板状部材差込み部を通じて上記ハウジングに差し込まれた配線板状部材を係止し、該ロック部による上記配線板状部材の係止がなされるもとで、上記ロック解除部の一端部が上記導電性シェル内に向かう方向に押圧されるとき、上記ロック解除部が移動して、該ロック解除部の他端部が上記ロック部に上記配線板状部材に対する係止を解除させることを特徴とするコネクタ装置。
【請求項２】
上記ロック部が、上記ハウジング内において、該ハウジングに上記板状部材差込み部を通じて差し込まれた配線板状部材に設けられた係合部に係合して該配線板状部材を係止する状態をとる係止部と、該係止部を変位可能に支持する弾性アーム部とを備え、上記弾性アーム部に上記ロック解除部の他端部が係合することを特徴とする請求項１記載のコネクタ装置。
【請求項３】
上記ロック部の係止部が上記ハウジングに上記板状部材差込み部を通じて差し込まれた配線板状部材に設けられた係合部に係合したもとで、上記ロック解除部の一端部が上記導電性シェル内に向かう方向に押圧されるとき、上記ロック解除部の他端部が上記ロック部の弾性アーム部に弾性変形を生じさせて上記係止部を変位させ、該係止部が上記配線板状部材に設けられた係合部との係合を解除することを特徴とする請求項２記載のコネクタ装置。
【請求項４】
上記ロック部の係止部が上記ハウジングに上記板状部材差込み部を通じて差し込まれた配線板状部材に設けられた係合部に係合するとき、上記ロック部の弾性アーム部が上記ハウジングの一部分に弾性当接することを特徴とする請求項２記載のコネクタ装置。
【請求項５】
上記ロック部の係止部が、上記ハウジングへの上記板状部材差込み部を通じた配線板状部材の差込み方向に沿って上昇傾斜する傾斜面を形成しており、該傾斜面を形成する部分を上記配線板状部材に設けられた係合部に係合させることを特徴とする請求項２記載のコネクタ装置。
【請求項６】
上記ロック部の係止部における上記ハウジングに設けられた板状部材差込み部側の端部が、上記ハウジングにおける上記板状部材差込み部が設けられた部分に近接して配されることを特徴とする請求項２記載のコネクタ装置。
【請求項７】
上記ロック解除部が、上記ハウジングにおける上記配線基板に対接する一端面部に対向する他端面部側において上記導電性シェルの外方に突出する部分に、上記導電性シェルの外面に当接する状態をとる突起が形成されていることを特徴とする請求項１記載のコネクタ装置。
【請求項８】
上記ロック解除部が、上記ハウジングにおける上記配線基板に対接する一端面部に対向する他端面部側における上記導電性シェルの内側に位置する部分に、上記導電性シェルの内面に当接する状態をとる突起が形成されていることを特徴とする請求項１記載のコネクタ装置。
【請求項９】
上記ロック解除部が上記ハウジングにおける上記複数のコンタクトの配列方向の両端部分の夫々に設けられ、上記ロック部が上記導電性シェルにおける上記ハウジングの両端部分に対応する部分の夫々に形成されることを特徴とする請求項１記載のコネクタ装置。
【請求項１０】
上記導電性シェルが、上記ロック部に加えて、上記ハウジングに上記板状部材差込み部を通じて差し込まれた配線板状材における接地接続部に接触接続される接地コンタクトが形成されることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、その配線板状部材に設けられた接続端子部を他の配線基板に電気的に接続された状態とするため、装着された配線板状部材に設けられた接続端子部に接触接続されるコンタクト及び装着された配線板状部材をその離脱を阻止すべく係止するロック部を備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接続端子部に接触接続される導電性のコンタクトを有していて、そのコンタクトを介して、配線板状部材に設けられた接続端子部を主配線基板に設けられた配線部における端子に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部が設けられたものとされて、主配線基板に配される、例えば、絶縁材料によって形成されたハウジングを有したものとされる。そして、そのハウジング内に配列配置されて設けられて主配線基板に設けられた配線端子に連結され、配線板状部材が差込み部を通じてハウジングに差し込まれるとき、その配線板状部材に設けられた複数の接続端子部に夫々対応するものとなる複数のコンタクトと、複数のコンタクトについての特性インピーダンス調整に貢献するものとして、さらには、外部からの電磁波ノイズ対策のため、即ち、外部からの電磁波ノイズに対するシールド効果を得るために、ハウジングを部分的もしくは全体的に覆うものとして配されて主配線基板に設けられた接地端子に連結される導電性シェルと、ハウジングに対して回動可能に設けられ、複数のコンタクトの夫々に係合して、回動せしめられるとき複数のコンタクトの夫々における作動部を変位させ、それにより、複数のコンタクトに、複数の信号接続端子部に夫々接触接続された状態、あるいは、複数の信号接続端子部との接触接続から解放された状態をとらせるアクチュエータとが備えられる。そして、複数のコンタクトが配線板状部材に設けられた複数の接続端子部に夫々接触接続された状態におかれることにより、配線板状部材が主配線基板との電気的接続状態におかれる。
【０００４】
さらに、従来提案されている配線板状部材の主配線基板への取付けに用いられるコネクタ装置の中には、上述のようなハウジングを有し、上述のような複数のコンタクトと導電性シェルとは備えられているが、ハウジングに対して回動可能に設けられるアクチュエータは備えられていず、配線板状部材が差込み部を通じてハウジングに差し込まれるとき、自動的に、ハウジング内に設けられた複数のコンタクトが差し込まれた配線板状部材に設けられた複数の接続端子部に夫々接触接続されるものもある。斯かるものにあっては、配線板状部材が差込み部を通じてハウジングに適正に差し込まれるだけで、配線板状部材が主配線基板との電気的接続状態におかれる。
【０００５】
このような従来提案されているコネクタ装置にあっては、ハウジングに対して回動可能に設けられるアクチュエータが備えられたもの及び斯かるアクチュエータが備えられないもののいずれの場合にも、例えば、フレキシブル印刷配線基板とされる配線板状部材が、主配線基板に配されたハウジングに差込み部を通じて差し込まれて、ハウジング内に配された複数の信号コンタクトが、ハウジング内に差し込まれた配線板状部材における複数の信号接続端子部に夫々接触接続され、それにより、配線板状部材が主配線基板との電気的接続状態におかれるにあたり、配線板状部材がハウジングから不所望に離脱するような事態が回避されなくてはならない。当然のことながら、ハウジング内に配された複数のコンタクトがハウジングに差し込まれた配線板状部材における複数の接続端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、上述のような、ハウジングを有し、複数のコンタクトと導電性シェルとハウジングに対して回動可能とされるアクチュエータとが備えられたコネクタ装置に属するものであって、ハウジングに差込み部を通じて差し込まれた配線板状部材に係合して、当該配線板状部材のハウジングからの不所望な抜脱を阻止する係止手段を備えたコネクタ装置が従来提案されている（例えば、特許文献１参照。）。また、上述のような、ハウジングを有し、複数のコンタクトと導電性シェルとは備えられているが、ハウジングに対して回動可能とされるアクチュエータは備えられていないコネクタ装置に属するものであって、ハウジングに差込み部を通じて差し込まれた配線板状部材に係合して、当該配線板状部材のハウジングからの不所望な抜脱を阻止する係止手段を備えたコネクタ装置も従来提案されている（例えば、特許文献２参照。）。
【０００７】
特許文献１に示されるコネクタ装置にあっては、導電性シェル（シールドプレート１１）の一部にシーソーのように変位することができる係止手段（ロック部１１ｃ）が形成されており、この係止手段には、導電性シェルの内側に向かって屈曲した係止端部（爪部１１ｄ）が設けられている。そして、係止手段は、ハウジング（ハウジング３）に対して回動可能とされたアクチュエータ（アクチュエータ９）の回動操作に応じて変位する。
【０００８】
このようなもとで、配線板状部材（ＦＰＣ２１）がハウジング内の受容空間（ＦＰＣ受容空間３４）に差し込まれた後に、アクチュエータの第１の方向への回動操作が行われると、ハウジング内に配された複数のコンタクト（第１のコンタクト５，第２のコンタクト６）が、アクチュエータに形成されたカム（カム部９２，９３）によって変位せしめられ、ハウジングに差し込まれた配線板状部材における複数の接続端子部に夫々接触接続されるとともに、係止手段が、アクチュエータに形成されたカム（カム部９４）によって変位せしめられ、それに設けられた係止端部をハウジング内に差し込まれた配線板状部材に設けられた係合部（切欠２１ａ）に係合させる。それにより、ハウジングに差し込まれた配線板状部材のハウジングからの不所望な抜脱が阻止される。
【０００９】
その後、係止手段に設けられた係止端部がハウジングに差し込まれた配線板状部材に設けられた係合部に係合したもとで、アクチュエータの第１の方向とは逆の第２の方向への回動操作が行われると、アクチュエータに形成されたカム（カム部９４）が、係止手段に、それに設けられた係止端部の配線板状部材に設けられた係合部との係合を解除する状態をとることを許す。それにより、ハウジング内に差し込まれた配線板状部材が、ハウジングから抜脱され得る状態におかれる。
【００１０】
また、特許文献２に示されるコネクタ装置にあっては、ハウジング（ハウジング本体２）にそれに対して回動可能に設けられた導電性シェル（シェル４）が備えられている。そして、導電性シェルの一部に板ばね状の係止手段（足部４６）が形成されており、この係止手段の先端部に導電性シェルの内側に向かう係止突起（係止突起４４）が設けられている。
【００１１】
このようなハウジングに対して回動可能とされた導電性シェルが、その全体がハウジングに近接することになる、ハウジングに対して伏した位置をとるもとで、配線板状部材（ＦＰＣ）がハウジングに差込み部（挿入口２１）を通じて差し込まれると、ハウジング内に配された複数のコンタクト（コンタクト３（上部コンタクト３１，下部コンタクト３２））が、ハウジングに差し込まれた配線板状部材における複数の信号接続端子部に夫々接触接続されるとともに、係止手段に設けられた係止突起が、ハウジングに差し込まれた配線板状部材に設けられた係合部（ＦＰＣ係合孔）に係合する。それにより、ハウジングに差し込まれた配線板状部材のハウジングからの不所望な抜脱が阻止される。
【００１２】
その後、係止手段に設けられた係止突起がハウジングに差し込まれた配線板状部材に設けられた係合部に係合したもとで、ハウジングに対して回動可能とされた導電性シェルが、ハウジングに対して起き上がった位置をとるべく回動操作されると、導電性シェルに形成された係止手段も導電性シェルに伴って変位し、それに設けられた係止突起が配線板状部材に設けられた係合部との係合を解除する。それにより、ハウジングに差し込まれた配線板状部材が、ハウジングから抜脱され得る状態におかれる。
【先行技術文献】
【特許文献】
【００１３】
【特許文献１】特開２００８−５２９９３号公報  （段落００１６，００１７，００３３〜００４３、図１，図５、６）
【特許文献２】特開２００８−１９２５７４号公報  （段落００２６，００２７，００３１〜００３４，図１〜６）
【発明の概要】
【発明が解決しようとする課題】
【００１４】
上述のような、フレキシブル印刷配線基板等の配線板状部材の主配線基板への取付けに用いられるコネクタ装置であって、ハウジング内に差し込まれた配線板状部材のハウジングからの不所望な離脱を阻止する係止手段を備えたものとして従来提案されているコネクタ装置にあっては、係止手段がハウジングに対して回動可能とされたアクチュエータの回動操作に応じて変位するものとされ、あるいは、ハウジングに対して回動可能とされた導電性シェルが備えられ、その導電性シェルの一部に係止手段が形成されている。
【００１５】
このような、係止手段がハウジングに対して回動可能とされたアクチュエータの回動操作に応じて変位するものとされた従来のコネクタ装置の場合には、ハウジングに対して回動可能とされたアクチュエータを備えることが必要とされ、そのことが、コネクタ装置の製造コストを嵩ませる要因となる。それに加えて、係止手段に配線板状部材に対する係止状態あるいは係止解除状態をとらせるにあたっては、アクチュエータをハウジングに対して回動させる操作が不可欠とされ、斯かる操作を行うための不所望なスペースをコネクタ装置の周囲に設けることが必要とされる。さらに、導電性シェルが、ハウジングの上面（主配線基板に対接する面に対向する他の面）と複数のコンタクトの配列方向における側端面のみを覆うものとされていて、導電性シェルの複数のコンタクトについての特性インピーダンス調整への貢献が小とされてしまい、また、電性シェルによる外部からの電磁波ノイズに対するシールド効果を効果的に得ることが困難とされる虞がある。
【００１６】
また、ハウジングに対して回動可能とされた導電性シェルが備えられ、その導電性シェルの一部に係止手段が形成された従来のコネクタ装置の場合には、導電性シェルがハウジングに対して回動可能とされるので、コネクタ装置の主配線基板への固定のために導電性シェルを利用することができず、別途、コネクタ装置を主配線基板に固定するための部材（ホールドダウン部材）を備えることが必要とされ、そのことが、コネクタ装置の製造コストを嵩ませる要因となる。さらに、斯かるコネクタ装置にあっても、導電性シェルが、ハウジングの上面（主配線基板に対接する面に対向する他の面）と複数のコンタクトの配列方向における側端面のみを覆うものとされていて、導電性シェルの複数のコンタクトについての特性インピーダンス調整への貢献が小とされてしまい、また、導電性シェルによる外部からの電磁波ノイズに対するシールド効果を効果的に得ることが困難とされる虞がある。
【００１７】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングと、ハウジング内に配列配置されて設けられる複数のコンタクトと、ハウジングを覆う導電性シェルとを備えたコネクタ装置であって、ハウジングに対して回動可能とされるアクチュエータ等が不要とされ、また、導電性シェルをハウジングに対して回動可能とする必要がなく、それにより、部品点数を比較的少として製造コストの低減を図ることができ、さらに、導電性シェルの複数のコンタクトについての特性インピーダンス調整への貢献を大とすることができるとともに、導電性シェルによる外部からの電磁波ノイズに対するシールド効果を効果的に得ることができるもとで、ハウジングに板状部材差込み部を通じて差し込まれた配線板状部材に対するハウジングからの不所望な抜脱を阻止するための係止及びその係止の解除を、確実に行えることになるものを提供する。
【課題を解決するための手段】
【００１８】
本願の特許請求の範囲における請求項１から請求項１０までのいずれかに記載された発明（以下、本発明という。）に係るコネクタ装置は、板状部材差込み部が設けられて配線基板上に配されるハウジングと、ハウジング内に配列配置されて、配線基板に設けられた配線端子に連結される状態をとり、配線板状部材が板状部材差込み部を通じてハウジングに差し込まれたとき、ハウジングに差し込まれた配線板状部材における複数の接続端子部に接触接続される複数のコンタクトと、ハウジングにおける板状部材差込み部が設けられた部分及びその周囲部分を除く他の部分の表面の大部分を覆うものとして配されて、配線基板に設けられた接地端子に連結される状態をとり、ハウジング内に伸びて、ハウジングに配線板状部材が板状部材差込み部を通じて差し込まれたとき、その配線板状部材を係止する状態をとるロック部が形成された導電性シェルと、ハウジングと一体的に形成されて移動可能に設けられ、一端部がハウジングにおける配線基板に対接する一端面部に対向する他端面部側において導電性シェルの外方に突出するとともに、他端部がロック部に係合するロック解除部とを備えて成り、ロック部が板状部材差込み部を通じてハウジングに差し込まれた配線板状部材を係止し、ロック部による配線板状部材の係止がなされたもとで、ロック解除部の一端部が導電性シェル内に向かう方向に押圧されるとき、ロック解除部が移動して、その他端部がロック部に配線板状部材に対する係止を解除させることを特徴とするものとされる。
【００１９】
特に、本願の特許請求の範囲における請求項３に記載された本発明に係るコネクタ装置にあっては、ロック部が、ハウジング内において、ハウジングに板状部材差込み部を通じて差し込まれた配線板状部材に設けられた係合部に係合してその配線板状部材を係止する状態をとる係止部と、その係止部を変位可能に支持する弾性アーム部とを備えていて、弾性アーム部にロック解除部の他端部が係合する状態をとり、係止部がハウジングに板状部材差込み部を通じて差し込まれた配線板状部材に設けられた係合部に係合したもとで、ロック解除部の一端部が導電性シェル内に向かう方向に押圧されるとき、ロック解除部の他端部がロック部の弾性アーム部に弾性変形を生じさせて係止部を変位させ、その係止部が配線板状部材に設けられた係合部との係合を解除する。
【００２０】
さらに、本願の特許請求の範囲における請求項６に記載された本発明に係るコネクタ装置にあっては、ロック部が、ハウジング内において、ハウジングに板状部材差込み部を通じて差し込まれた配線板状部材に設けられた係合部に係合してその配線板状部材を係止する状態をとる係止部と、その係止部を変位可能に支持する弾性アーム部とを備えたもとにおいて、係止部におけるハウジングに設けられた板状部材差込み部側の端部が、ハウジングにおける板状部材差込み部が設けられた部分に近接して配される。
【００２１】
上述のような本発明に係るコネクタ装置にあっては、配線板状部材が配線基板に配されるハウジングにそれに設けられた板状部材差込み部を通じて差し込まれると、ハウジング内に配列配置された複数のコンタクトが、差し込まれた配線板状部材における複数の接続端子部に接触接続されるとともに、導電性シェルに形成されたロック部が、ハウジング内において、差し込まれた配線板状部材を係止する。そして、ロック部が配線板状部材を係止したもとで、ハウジングと一体的に形成され、ハウジングにおける配線基板に対接する一端面部に対向する他端面部側において導電性シェルの外方に突出する一端部とロック部に係合する他端部とを有したロック解除部が、その一端部が導電性シェル内に向かう方向に押圧される状態におかれると、当該ロック解除部が移動して、その他端部がロック部に配線板状部材に対する係止を解除させる。
【００２２】
斯かるもとで、ロック部は、例えば、本願の特許請求の範囲における請求項３に記載された本発明に係るコネクタ装置の場合のように、ハウジングに差し込まれた配線板状部材に設けられた係合部に係合してその配線板状部材を係止する状態をとる係止部と、係止部を変位可能に支持する弾性アーム部とを備えて構成され、その弾性アーム部にロック解除部の他端部が係合するものとされる。ロック部を構成する係止部は、例えば、本願の特許請求の範囲における請求項６に記載された本発明に係るコネクタ装置の場合のように、それにおけるハウジングに設けられた板状部材差込み部側の端部が、ハウジングにおける板状部材差込み部が設けられた部分に近接して配される。そして、配線板状部材がハウジングに板状部材差込み部を通じて差し込まれるとき、自動的に、ロック部の係止部が、差し込まれた配線板状部材に設けられた係合部に係合してその配線板状部材を係止する状態をとり、配線板状部材のハウジングからの不所望な抜脱を阻止する。
【００２３】
その後、ロック部の係止部が配線板状部材に設けられた係合部に係合したもとで、ロック解除部の一端部が導電性シェル内に向かう方向に押圧されると、ロック解除部の他端部が、例えば、本願の特許請求の範囲における請求項３に記載された本発明に係るコネクタ装置の場合のように、ロック部の弾性アーム部に弾性変形を生じさせて係止部を変位させ、その係止部が配線板状部材に設けられた係合部との係合を解除する。それにより、ロック解除部の一端部が導電性シェル内に向かう方向に押圧されることによって、ハウジング内においてロック部が配線板状部材に対する係止を解除する状態がとられ、配線板状部材がハウジングから抜脱され得る状態におかれる。
【発明の効果】
【００２４】
本発明に係るコネクタ装置においては、上述のように、ハウジングにそれに設けられた板状部材差込み部を通じて差し込まれた配線板状部材に対しての、導電性シェルに形成されたロック部による係止、及び、ハウジングに一体的に設けられたロック解除部によるロック部による係止の解除をなすにあたり、例えば、ハウジングに対して回動可能とされるアクチュエータを設けることが不要とされ、それに加えて、導電性シェルをハウジングに対して回動可能とする必要がなく、ハウジングに対して固定された導電性シェルをコネクタ装置の配線基板への固定のために利用することができて、別途、コネクタ装置を配線基板に固定するための部材を備えることが不要とされる。その結果、本発明に係るコネクタ装置によれば、部品点数を比較的少として製造コストの低減を効果的に図ることができる。
【００２５】
また、配線板状部材をハウジングにそれに設けられた板状部材差込み部を通じて差し込むだけで、配線板状部材に対しての導電性シェルに形成されたロック部による係止を行うことができ、それとともに、配線板状部材に対してのロック部による係止の解除を、ハウジングにおける配線基板に対接する一端面部に対向する他端面部側において導電性シェルの外方に突出するロック解除部の一端部を導電性シェル内に向かう方向に押圧するだけで行うことができるので、配線板状部材に対してのロック部による係止を極めて簡単な操作によって解除することができるとともに、斯かる操作にロック解除部の周囲に不所望なスペースを設けることが必要とされない。
【００２６】
さらに、本発明に係るコネクタ装置においては、ロック部が形成されるとともにハウジングに対して固定できるものとされる導電性シェルが、ハウジングにおける板状部材差込み部が設けられた部分及びその周囲部分を除く他の部分の表面の大部分を覆うものとして配されるので、導電性シェルの複数のコンタクトについての特性インピーダンス調整への貢献を大とすることができるとともに、導電性シェルによる外部からの電磁波ノイズに対するシールド効果を効果的に得ることができる。
【００２７】
特に、本願の特許請求の範囲における請求項３に記載された本発明に係るコネクタ装置にあっては、ロック部の弾性アーム部により変位可能に支持された係止部が、ハウジングに板状部材差込み部を通じて差し込まれた配線板状部材に設けられた係合部に係合したもとで、ロック解除部の一端部が導電性シェル内に向かう方向に押圧されるとき、ロック解除部の他端部がロック部の弾性アーム部に弾性変形を生じさせて係止部を変位させ、その係止部が配線板状部材に設けられた係合部との係合を解除するので、配線板状部材に対してのロック部による係止及びロック部による係止の解除を、確実に行うことができる。
【００２８】
また、本願の特許請求の範囲における請求項６に記載された本発明に係るコネクタ装置にあっては、ロック部の弾性アーム部により変位可能に支持された係止部が、ハウジングに板状部材差込み部を通じて差し込まれた配線板状部材に設けられた係合部に係合してその配線板状部材を係止する状態をとるもとで、外部から配線板状部材にハウジングから抜脱される方向の力が加えられ、配線板状部材に設けられた係合部が、それに係合している係止部に、ハウジングに設けられた板状部材差込み部に向う方向の力を作用させるとき、係止部におけるハウジングに設けられた板状部材差込み部側の端部が、それが近接するものとされたハウジングにおける板状部材差込み部が設けられた部分に当接する。それにより、配線板状部材に設けられた係合部がそれに係合している係止部に作用させるハウジングに設けられた板状部材差込み部に向う方向の力が、係止部を介して、ハウジングにおける板状部材差込み部が設けられた部分によって受け止められる。従って、斯かる力がロック部の弾性アーム部には伝達されないことになり、その結果、弾性アーム部が不所望に変形してしまう事態を回避できる。
【図面の簡単な説明】
【００２９】
【図１】本発明に係るコネクタ装置の一例を示す正面側から見た斜視図である。
【図２】本発明に係るコネクタ装置の一例を示す背面側から見た斜視図である。
【図３】本発明に係るコネクタ装置の一例を示す正面図である。
【図４】図３におけるIV−IV線断面を示す断面図である。
【図５】本発明に係るコネクタ装置の一例に備えられる導電性シェルの一部を示す部分斜視図である。
【図６】図３におけるVI−VI線断面を示す断面図である。
【図７】図３における VII−VII 線断面を示す断面図である。
【図８】本発明に係るコネクタ装置の一例におけるそれに備えられたロック部及びロック解除部の相互配置関係を示す一部断面を含んだ部分斜視図である。
【図９】図３におけるIX−IX線断面を示す断面図である。
【図１０】本発明に係るコネクタ装置の一例におけるそれに備えられたロック部及びロック解除部の相互配置関係を示す一部断面を含んだ部分斜視図である。
【図１１】本発明に係るコネクタ装置の一例におけるそれに備えられたロック部及びロック解除部の相互配置関係を示す一部断面を含んだ部分斜視図である。
【図１２】本発明に係るコネクタ装置の一例に差し込まれるフレキシブル印刷配線基板を示す表側から見た斜視図である。
【図１３】本発明に係るコネクタ装置の一例に差し込まれるフレキシブル印刷配線基板を示す裏側から見た斜視図である。
【図１４】本発明に係るコネクタ装置の一例にフレキシブル印刷配線基板が差し込まれた状態を示す斜視図である。
【図１５】本発明に係るコネクタ装置の一例に対してフレキシブル印刷配線基板が差込み途中にある状態を示す一部断面を含んだ部分斜視図である。
【図１６】本発明に係るコネクタ装置の一例に対するフレキシブル印刷配線基板の差込みが完了し、当該一例に備えられたロック部の係止部によってフレキシブル印刷配線基板が係止された状態を示す一部断面を含んだ部分斜視図である。
【図１７】本発明に係るコネクタ装置の一例に備えられたロック部の係止部がフレキシブル印刷配線基板に対する係止を解除した状態を示す一部断面を含んだ部分斜視図である。
【発明を実施するための形態】
【００３０】
本発明を実施するための形態は、以下に述べられる本発明についての実施例をもって説明される。
【実施例】
【００３１】
図１（正面側から見た斜視図），図２（背面側から見た斜視図）及び図３（正面図）は、本発明に係るコネクタ装置の一例を示す。
【００３２】
図１，図２及び図３において、本発明に係るコネクタ装置の一例を成すコネクタ装置１０は、合成樹脂等の絶縁材料によって形成されたハウジング１１を備えている。ハウジング１１には、図１及び図３に示されるように、その正面側端面部に板状部材差込み部１２が設けられており、板状部材差込み部１２からハウジング１１の内部へと板状部材収容空間が伸びている。
【００３３】
ハウジング１１は、例えば、図示されていない主配線基板に配され、それにより、コネクタ装置１０の全体が主配線基板に取り付けられたものとされる。その際、ハウジング１１における正面側端面部と背面側端面部とに挟まれた一対の対向端面部のうちの一方が主配線基板に対接する端面部とされて他方が解放された端面部とされる。以下においては、主配線基板に対接するハウジングの一端面部を下方端面部といい、それに対向するハウジングの他端面部を上方端面部という。そして、板状部材差込み部１２を通じて、例えば、後述されるフレキシブル印刷配線基板が、配線板状部材を成すものとして、ハウジング１１に差し込まれる。
【００３４】
ハウジング１１には、その内部に、各々が弾性導電材料で形成された複数のコンタクト１３が、ハウジング１１の長手方向（左右方向）に沿って配列配置されて設けられている。複数のコンタクト１３は、配線板状部材を成すフレキシブル印刷配線基板における複数の接続端子部に接触接続されるものとして設けられており、具体的には、フレキシブル印刷配線基板における複数の信号接続端子部，接地接続端子部、あるいは、電源接続端子部に接触接続される信号用，接地用、あるいは、電源用コンタクトとして用いられる。複数のコンタクト１３の夫々には、図２に示されるように、ハウジング１１の背面側端面部分からその外部に導出される接続端子部１３ａが設けられており、接続端子部１３ａは、ハウジング１１が配された主配線基板に設けられた配線端子に接続される。そして、複数のコンタクト１３は、例えば、図２に示されるハウジン１１の背面側端面部分側から、ハウジング１１の内部へと押圧挿入される。
【００３５】
これらの複数のコンタクト１３は、配線板状部材を成すフレキシブル印刷配線基板が板状部材差込み部１２を通じてハウジング１１に差し込まれたとき、ハウジング１１に差し込まれたフレキシブル印刷配線基板における複数の接続端子部に夫々接触接続される。それにより、ハウジング１１に差し込まれたフレキシブル印刷配線基板における複数の接続端子部が、複数のコンタクト１３を介して、ハウジング１１が配された主配線基板に設けられた配線端子に連結される。
【００３６】
また、コネクタ装置１０は、ハウジング１１における板状部材差込み部１２が設けられた部分である正面側端面部を除く他の部分、即ち、上方端面部，左側端面部．下方端面部，右側端面部及び背面側端面部の表面の大部分を覆う導電性シェル１４を備えている。この導電性シェル１４は、金属板が加工成形されて構成されており、複数のコンタクト１３についての特性インピーダンス調整に貢献するため、さらには、コネクタ装置１０についての外部からの電磁波ノイズ対策のため、即ち、コネクタ装置１０における外部からの電磁波ノイズに対するシールド効果を得るためのものとして、備えられている。
【００３７】
図２に示されるように、導電性シェル１４は、ハウジング１１における正面側端面部及びその周囲部分と、上方端面部の背面側端面部との境界部分の一部及び背面側端面部における複数のコンタクト１３が外部に導出される部分については、それらの表面を覆っていないが、ハウジング１１における上方端面部の背面側端面部との境界部分の一部以外の部分，左側端面部及び右側端面部については、それらの表面を略全体的に覆っている。また、導電性シェル１４には、複数の接地接続端子部１４ａが設けられていて、これらの接地接続部１４ａの夫々は、ハウジング１１が配される主配線基板に設けられた接地端子に、例えば、半田付けにより連結されるものとされる。
【００３８】
このように、導電性シェル１４が、ハウジング１１における上方端面部の背面側端面部との境界部分の一部以外の部分，左側端面部及び右側端面部の夫々の表面を略全体的に覆い、それに設けられた複数の接地接続端子部１４ａが、主配線基板に設けられた接地端子に、例えば、半田付けにより連結されるものとされることにより、導電性シェル１４から複数のコンタクト１３の夫々までの距離が比較的小なる略均等なものとなって、導電性シェル１４の複数のコンタクト１３の特性インピーダンス調整への貢献が大とされ、さらに、導電性シェル１４による外部からの電磁波ノイズに対するシールド効果が効果的に得られることになるとともに、導電性シェル１４をコネクタ装置１０の主配線基板への固定に利用できることになる。複数のコンタクト１３の特性インピーダンス調整とは、複数のコンタクト１３についての特性インピーダンスを、複数のコンタクト１３が夫々接触接続されるフレキシブル印刷配線基板における複数の接続端子部の特性インピーダンスと整合させるための調整である。
【００３９】
そして、導電性シェル１４には、その長手方向である左右方向の両端部においてハウジング１１の背面側端面部の表面を覆う、一対の左背面部１５及び右背面部１６を相互に連結する帯状背面部１７が、ハウジング１１の上方端面部の表面を覆う上面部１８から切り離されたものとして設けられている。そして、図３におけるIV−IV線断面をあらわす図４に示されるように、帯状背面部１７からは、複数の接地用コンタクト１９が、各々が板状部材差込み部１２に向かうものとされてハウジング１１内へと伸びている。複数の接地用コンタクト１９の夫々は、ハウジング１１内において、複数のコンタクト１３のうちの一つに対向して配され、配線板状部材を成すフレキシブル印刷配線基板がハウジング１１に板状部材差込み部１２を通じて差し込まれるとき、その配線板状部材に設けられた接地接続部に接触接続される。
【００４０】
また、導電性シェル１４には、図５に示されるように、左背面部１５に対向する部分に、ハウジング１１に板状部材差込み部１２を通じて差し込まれた配線板状部材を成すフレキシブル印刷配線基板を係止する状態をとるロック部２０が形成されている。ロック部２０は、ハウジング１１の下方端面部の表面を覆う導電性シェル１４の下面部２１における左端部から、一旦ハウジング１１の正面側端面部に向かって伸びた後折り返して左背面部１５に向かって伸びる枠状体を成す弾性アーム部２２と、弾性アーム部２２によって変位可能に支持された係止部２３とを備えて構成されており、弾性アーム部２２と係止部２３とは、導電性シェル１４と一体に形成されている。
【００４１】
ロック部２０の係止部２３は、弾性アーム部２２から導電性シェル１４の上面部１８に向かって立ち上がった突起を成しており、その端面部を、配線板状部材を成すフレキシブル印刷配線基板の板状部材差込み部１２を通じたハウジング１１への差込み方向に沿って上昇傾斜する傾斜面２３ａを形成するものとしている。そして、係止部２３は、その傾斜面２３ａを形成する部分を、板状部材差込み部１２を通じてハウジング１１に差し込まれる配線板状部材を成すフレキシブル印刷配線基板に設けられた係合部に係合させる。
【００４２】
図３におけるVI−VI線断面をあらわす図６に示されるように、ロック部２０の係止部２３は、ハウジング１１内において、その傾斜面２３ａを形成する部分における最上方部が、ハウジング１１の一部に近接するとともに、それにおけるハウジング１１に設けられた板状部材差込み部１２側の端部２３ｂが、ハウジング１１における板状部材差込み部１２が設けられた部分に近接することになる位置をとるものとされる。
【００４３】
また、ハウジング１１の左側端面部を覆う導電性シェル１４の左側面部２４には、ハウジング１１の正面側端面部を形成する部分に設けられたスリットに差し込まれる差込み係合突起部２５が形成されている。
【００４４】
一方、ハウジング１１においては、導電性シェル１４に形成されたロック部２０に対応する部位に、ロック解除部３０が移動可能に設けられている。このロック解除部３０は、板状部材差込み部１２を通じてハウジング１１に差し込まれる配線板状部材を成すフレキシブル印刷配線基板に対するロック部２０による係止を、解除すべく操作されるものとされている。
【００４５】
そして、ロック解除部３０は、図３における VII−VII 線断面をあらわす図７に示されるように、ハウジング１１における背面側端面部を形成する部分に連結部３１によって連結されていて、ハウジング１１と一体的に形成されている。連結部３１は、弾性を有するものとされて、図７における上下方向の揺動が可能とされており、それにより、ロック解除部３０の全体が、それに対する操作に応じて図７における上下方向に移動し得る状態におかれている。
【００４６】
このロック解除部３０は、図８にも示されるように、その全体が、例えば、角柱状を成すものとされ、一対の対向端部のうちの一方である端部３２が、ハウジング１１内から導電性シェル１４の上面部１８に形成された切欠き部１８ａを通じて、導電性シェル１４の外部に突出しており、また、一対の対向端部のうちの他方である端部３３が、ハウジング１１内において、導電性シェル１４に形成されたロック部２０のアーム部２２に当接して係合している。従って、ロック解除部３０は、ハウジング１１と一体的に形成されて移動可能に設けられ、一端部である端部３２が、ハウジング１１における主配線基板に対接する下方端面部に対向する上方端面部側、即ち、導電性シェル１４の上面部１８によって覆われたハウジング１１の上方端面部側において、導電性シェル１４の外方に突出するとともに、他端部である端部３３が、導電性シェル１４に形成されたロック部２０に係合するものとされていることになる。
【００４７】
ロック解除部３０における端部３２には、導電性シェル１４の上面部１８に沿う方向に突出する一対の突起３５が、導電性シェル１４の上面部１８の外側に位置するものとして設けられている。また、ロック解除部３０における導電性シェル１４の上面部１８の内側となる部位にも、一対の突起３５と同様な一対の突起３６が設けられている（後述される図１０に現れている。）。
【００４８】
このようなロック解除部３０は、その端部３２が導電性シェル１４内に向かう方向に押圧される操作が加えられるとき、その全体が端部３２側から端部３３側に向かう方向に移動せしめられる押圧移動を生じて、端部３３が係合するロック部２０の弾性アーム部２２に弾性変形を生じさせ、また、その端部３２が導電性シェル１４内に向かう方向に押圧される操作が加えられなくなると、端部３３が係合するロック部２０の弾性アーム部２２の復元弾性変形によってその全体が端部３３側から端部３２側に向かう方向に移動せしめられる復元移動を生じる。その際、ロック解除部３０の押圧移動の範囲が、一対の突起３５が導電性シェル１４の上面部１８にその外側から当接することにより規制され、また、ロック解除部３０の復元移動の範囲が、一対の突起３６が導電性シェル１４の上面部１８にその内側から当接することにより規制される。
【００４９】
図３におけるIX−IX線断面をあらわす図９に示されるように、導電性シェル１４にあっては、その右背面部１６に対向する部分にも、上述の導電性シェル１４における左背面部１５に対向する部分に形成されたロック部２０と同様に構成されるロック部２０が形成されている。この導電性シェル１４における右背面部１６に対向する部分に形成されたロック部２０も、導電性シェル１４の下面部２１における右端部から、一旦ハウジング１１の正面側端面部に向かって伸びた後折り返して右背面部１６に向かって伸びる枠状体を成す弾性アーム部２２と、弾性アーム部２２によって変位可能に支持された係止部２３とを備えて構成されており、弾性アーム部２２と係止部２３とは、導電性シェル１４と一体に形成されている。但し、図９においては、係止部２３は現れていない。そして、ロック部２０の弾性アーム部２２は、ハウジング１１の一部１１ａに弾性当接することができるものとされている。
【００５０】
なお、ロック部２０の弾性アーム部２２がハウジング１１の一部１１ａに弾性当接することができるものとされる点に関しては、導電性シェル１４における左背面部１５に対向する部分に形成されたロック部２０の弾性アーム部２２についても同様である。
【００５１】
また、同じく図９に示されるように、ハウジング１１における、導電性シェル１４における右背面部１６に対向する部分に形成されたロック部２０に対応する部位に、上述の導電性シェル１４における左背面部１５に対向する部分に形成されたロック部２０に対応する部位に設けられたロック解除部３０と同様なロック解除部３０が、移動可能に設けられている。このロック解除部３０も、板状部材差込み部１２を通じてハウジング１１に差し込まれる配線板状部材を成すフレキシブル印刷配線基板に対するロック部２０による係止を解除すべく操作されるものとされている。
【００５２】
そして、導電性シェル１４における右背面部１６に対向する部分に形成されたロック部２０に対応する部位に設けられたロック解除部３０も、ハウジング１１における背面側端面部を形成する部分に連結部３１によって連結されていて、ハウジング１１と一体的に形成されている。そして、斯かる連結部３１も、弾性を有するものとされて、図９における上下方向の揺動が可能とされており、それにより、ロック解除部３０の全体が、それに対する操作に応じて図９における上下方向に移動し得る状態におかれている。
【００５３】
また、導電性シェル１４における右背面部１６に対向する部分に形成されたロック部２０に対応する部位に設けられたロック解除部３０も、その全体が、例えば、角柱状を成すものとされ、一対の対向端部のうちの一方である端部３２が、ハウジング１１内から導電性シェル１４の上面部１８の外部に突出しており、また、一対の対向端部のうちの他方である端部３３が、ハウジング１１内において、導電性シェル１４に形成されたロック部２０のアーム部２２に当接して係合している。さらに、導電性シェル１４における右背面部１６に対向する部分に形成されたロック部２０に対応する部位に設けられたロック解除部３０における端部３２には、導電性シェル１４の上面部１８に沿う方向に突出する一対の突起３５が、導電性シェル１４の上面部１８の外側に位置するものとして設けられているとともに、当該ロック解除部３０における導電性シェル１４の上面部１８の内側となる部位に、一対の突起３５と同様な一対の突起３６が設けられている（図９においては、一つの突起３５及び一つの突起３６のみが現れている。）。
【００５４】
そして、斯かるロック解除部３０も、その端部３２が導電性シェル１４内に向かう方向に押圧される操作が加えられるとき、その全体が端部３２側から端部３３側に向かう方向に移動せしめられる押圧移動を生じて、端部３３が係合するロック部２０の弾性アーム部２２に弾性変形を生じさせ、また、その端部３２が導電性シェル１４内に向かう方向に押圧される操作が加えられなくなると、端部３３が係合するロック部２０の弾性アーム部２２の復元弾性変形によってその全体が端部３３側から端部３２側に向かう方向に移動せしめられる復元移動を生じる。その際、ロック解除部３０の押圧移動の範囲が、一対の突起３５が導電性シェル１４の上面部１８にその外側から当接することにより規制され、また、ロック解除部３０の復元移動の範囲が、一対の突起３６が導電性シェル１４の上面部１８にその内側から当接することにより規制される。
【００５５】
上述のように、コネクタ装置１０にあっては、そのハウジング１１及びそれを覆う導電性シェル１４の各々の長手方向である左右方向の両端部に、一対のロック部２０と一対のロック解除部３０とが設けられているのである。
【００５６】
図１０及び図１１は、コネクタ装置１０におけるハウジング１１の左側端部における、コネクタ装置１０に備えられたロック部２０とロック解除部３０との相互配置関係を示す。ロック解除部３０は、その端部３２が導電性シェル１４内に向かう方向に押圧される操作が加えられるとき、その全体が端部３２側から端部３３側に向かう方向に移動せしめられる押圧移動を生じるが、図１０は、ロック解除部３０が押圧移動を生じていない状態を示しており、図１１は、ロック解除部３０が押圧移動を生じた状態を示している。
【００５７】
図１０においては、ロック解除部３０の端部３３はロック部２０の弾性アーム部２２に当接係合しているが、ロック解除部３０の端部３２に導電性シェル１４内に向かう方向の押圧力が加えられていず、ロック部２０の弾性アーム部２２は弾性変形を生じていない。それに対して、図１１においては、ロック解除部３０の端部３３がロック部２０の弾性アーム部２２に当接係合したもとで、ロック解除部３０の端部３２に導電性シェル１４内に向かう方向の押圧力が加えられており、それにより、ロック解除部３０の端部３３がロック部２０の弾性アーム部２２を導電性シェル１４の下面部２１側へと押圧して、弾性アーム部２２に弾性変形を生じさせている。このとき、ロック部２０の弾性アーム部２２は、それが支持する係止部２３を、図１０に示される位置から導電性シェル１４の下面部２１に近付いた位置へと変位させている。
【００５８】
コネクタ装置１０におけるハウジング１１の右側端部における、コネクタ装置１０に備えられたロック部２０とロック解除部３０との相互配置関係についても、上述の場合と同様である。
【００５９】
図１２及び図１３は、コネクタ装置１０におけるハウジング１１に板状部材差込み部１２を通じて差し込まれる、配線板状部材を成すフレキシブル印刷配線基板の一例であるフレキシブル印刷配線基板４０を示す。
【００６０】
図１２に示されるフレキシブル印刷配線基板４０の表側の面には、その一端部に接地接続部４１が設けられており、また、図１３に示されるフレキシブル印刷配線基板４０の裏側の面には、その一端部に各々が細い短冊状に形成された複数の接続端子部４２が配列配置されて設けられている。このような表側の面及び裏側の面を有したフレキシブル印刷配線基板４０には、裏側の面に配列配置された複数の接続端子部４２を挟んで相互対向する一対の側縁部に係合部４３及び係合部４４が夫々形成されていて、一対の側縁部の一方における係合部４３より先端側の部分が先端平板部４５とされるとともに、一対の側縁部の他方における係合部４４より先端側の部分が先端平板部４６とされている。
【００６１】
一対の係合部４３及び係合部４４は、各々が切欠きを形成するものとされているが、これらの切欠に代えて、フレキシブル印刷配線基板４０の一対の側縁部に夫々配される一対の係合孔を形成するものとされてもよい。そして、フレキシブル印刷配線基板４０においては、表側の面に配された接地接続部４１，裏側の面に配列配置された複数の接続端子部４２、及び、一対の係合部４３及び係合部４４または一対の係合孔が形成された部分を残して、それら以外の部分がカバーフィルム４７によって覆われている。
【００６２】
図１４は、図１２及び図１３に示されるフレキシブル印刷配線基板４０が、コネクタ装置１０におけるハウジング１１に板状部材差込み部１２を通じて差し込まれた状態を示す。図１４において、フレキシブル印刷配線基板４０にあっては、接地接続部４１が設けられるとともにカバーフィルム４７によって覆われた表側の面が示されている。
【００６３】
図１４に示されるように、フレキシブル印刷配線基板４０がコネクタ装置１０におけるハウジング１１に板状部材差込み部１２を通じて差し込まれるときには、先ず、図１５に示されるように、コネクタ装置１０におけるハウジング１１の左側端部において、ロック部２０の係止部２３における傾斜面２３ａを形成する部分が、ハウジング１１に板状部材差込み部１２を通じて差し込まれたフレキシブル印刷配線基板４０における係合部４３より先端側の先端平板部４５に、導電性シェル１４の下面部２１側から当接する。その際、係止部２３は、フレキシブル印刷配線基板４０における先端平板部４５によって導電性シェル１４の下面部２１に向かって押圧され、ロック部２０における弾性アーム部２２の弾性変形を伴って導電性シェル１４の下面部２１に近付く位置に変位せしめられる。
【００６４】
また、図示は省略されているが、コネクタ装置１０におけるハウジング１１の右側端部においても、ロック部２０の係止部２３における傾斜面２３ａを形成する部分が、ハウジング１１に板状部材差込み部１２を通じて差し込まれたフレキシブル印刷配線基板４０における係合部４４より先端側の先端平板部４６に、導電性シェル１４の下面部２１側から当接する。そして、係止部２３が、フレキシブル印刷配線基板４０における先端平板部４６によって導電性シェル１４の下面部２１に向かって押圧され、ロック部２０における弾性アーム部２２の弾性変形を伴って導電性シェル１４の下面部２１に近付く位置に変位せしめられる。
【００６５】
続いて、フレキシブル印刷配線基板４０がさらにハウジング１１の内部へと差し込まれると、図１６に示されるように、コネクタ装置１０におけるハウジング１１の左側端部において、ロック部２０の係止部２３における傾斜面２３ａを形成する部分が、フレキシブル印刷配線基板４０における先端平板部４５から外れ、ロック部２０における弾性アーム部２２の弾性復元により導電性シェル１４の下面部２１から遠ざかる位置（元の位置）へと変位せしめられて、フレキシブル印刷配線基板４０における係合部４３に係合し、フレキシブル印刷配線基板４０を係止する。
【００６６】
また、図示は省略されているが、コネクタ装置１０におけるハウジング１１の右側端部においても、ロック部２０の係止部２３における傾斜面２３ａを形成する部分が、フレキシブル印刷配線基板４０における先端平板部４６から外れ、ロック部２０における弾性アーム部２２の弾性復元により導電性シェル１４の下面部２１から遠ざかる位置（元の位置）へと変位せしめられて、フレキシブル印刷配線基板４０における係合部４４に係合し、フレキシブル印刷配線基板４０を係止する。
【００６７】
このとき、フレキシブル印刷配線基板４０は、ハウジング１１への板状部材差込み部１２を通じての差込みを完了して、正規の差込み位置をとっており、導電性シェル１４に形成された一対のロック部２０により係止されて、ハウジング１１からの不所望な抜脱が阻止される状態におかれる。即ち、フレキシブル印刷配線基板４０は、ハウジング１１に板状部材差込み部１２を通じて適正に差し込まれるだけで、導電性シェル１４に形成された一対のロック部２０によりハウジング１１からの不所望な抜脱が阻止される状態におかれることになる。
【００６８】
斯かる際、各ロック部２０の係止部２３における傾斜面２３ａを形成する部分がフレキシブル印刷配線基板４０における先端平板部４５及び４６の夫々から外れることにより弾性復元する各ロック部２０の弾性アーム部２２は、ハウジング１１の一部分１１ａ（図９参照）に弾性当接して、クリック音を発生する。このような弾性アーム部２２がハウジング１１の一部分１１ａに弾性当接して発生するクリック音により、フレキシブル印刷配線基板４０が、ハウジング１１への板状部材差込み部１２を通じての差込みを完了して正規の差込み位置をとり、ロック部２０により係止された状態におかれたことを確認することができる。
【００６９】
このようにして、フレキシブル印刷配線基板４０がハウジング１１への板状部材差込み部１２を通じての差込を完了して正規の差込み位置をとるもとにおいては、導電性シェル１４の帯状背面部１７からハウジング１１内に伸びる複数の接地用コンタクト１９が、ハウジング１１に差し込まれたフレキシブル印刷配線基板４０の表側の面に配された接地接続部４１に、導電性シェル１４の上面部１８側から弾性当接して接触接続される。それにより、ハウジング１１に差し込まれたフレキシブル印刷配線基板４０における接地接続部４１が、複数の接地用コンタクト１９を介して、ハウジング１１が配された主配線基板に設けられた接地端子に連結される。
【００７０】
また、それとともに、ハウジング１１内に配列配置された複数のコンタクト１３が、ハウジング１１に差し込まれたフレキシブル印刷配線基板４０の裏側の面に配列配置された複数の接続端子部４２に、導電性シェル１４の下面部２１側から夫々弾性当接して接触接続される。それにより、ハウジング１１に差し込まれたフレキシブル印刷配線基板４０における複数の接続端子部４２が、複数のコンタクト１３を介して、ハウジング１１が配された主配線基板に設けられた配線端子に連結される。
【００７１】
斯かるもとで、コネクタ装置１０の外部からフレキシブル印刷配線基板４０にハウジング１１から抜脱される方向の力が加えられ、フレキシブル印刷配線基板４０に設けられた係合部４３及び４４の夫々が、それに係合しているロック部２０の係止部２３に、ハウジング１１に設けられた板状部材差込み部１２に向う方向の力を作用させるときにおいては、係止部２３における板状部材差込み部１２側の端部２３ｂが、それが近接するものとされたハウジング１１における板状部材差込み部１２が設けられた部分に当接する。それにより、フレキシブル印刷配線基板４０に設けられた係合部４３及び４４の夫々がそれに係合している係止部２３に作用させる板状部材差込み部１２に向う方向の力が、係止部２３を介して、ハウジング１１における板状部材差込み部１２が設けられた部分によって受け止められて、ロック部２０の弾性アーム部２２には伝達されないことになり、その結果、弾性アーム部２２が不所望に変形してしまう事態が回避される。
【００７２】
その後、図１７に示されるように、コネクタ装置１０におけるハウジング１１の左側端部及び右側端部の夫々において、ロック解除部３０の端部３２が、それに対する操作により、導電性シェル１４内に向かう方向に押圧されると、ロック解除部３０の全体が、それとハウジング１１における背面側端面部を形成する部分とを連結する連結部３１の揺動を伴い、傾斜する状態をもって導電性シェル１４の下面部２１に向かって移動せしめられる。それにより、ロック解除部３０の端部３３が、ロック部２０の弾性アーム部２２を導電性シェル１４の下面部２１に向かって押圧し、弾性アーム部２２に弾性変形を生じさせて導電性シェル１４の下面部２１に近付くように移動させる。
【００７３】
導電性シェル１４の下面部２１に近付くように移動せしめられる弾性アーム部２２は、それが支持するロック部２０の係止部２３を、導電性シェル１４の下面部２１に近付く位置に変位させる。その結果、係止部２３が、その傾斜面２３ａを形成する部分のフレキシブル印刷配線基板４０における係合部４３及び係合部４４の夫々との係合を解除して、フレキシブル印刷配線基板４０をそれに対するロック部２０による係止から解放する。それにより、ハウジング１１に差し込まれたフレキシブル印刷配線基板４０が、ハウジング１１から適正に抜脱され得る状態におかれる。
【００７４】
フレキシブル印刷配線基板４０における一対の係合部４３及び係合部４４が、一対の切欠き部に代えて、一対の係合孔を形成するものとされる場合にも、上述と同様にして、フレキシブル印刷配線基板４０に対するロック部２０による係止、及び、ロック解除部３０を用いてのロック部２０による係止の解除が行われる。
【００７５】
上述のようなコネクタ装置１０が用いられてそれにおけるハウジング１１に配線板状部材を成すフレキシブル印刷配線基板４０が差し込まれるもとにあっては、フレキシブル印刷配線基板４０をコネクタ装置１０におけるハウジング１１に板状部材差込み部１２を通じて差し込むだけで、ハウジング１１に差し込まれたフレキシブル印刷配線基板４０における接地接続部４１が、複数の接地用コンタクト１９を介して、ハウジング１１が配された主配線基板に設けられた接地端子に連結され、さらに、当該フレキシブル印刷配線基板４０における複数の接続端子部４２が、複数のコンタクト１３を介して、ハウジング１１が配された主配線基板に設けられた配線端子に連結されるとともに、ハウジング１１に差し込まれたフレキシブル印刷配線基板４０が一対のロック部２０によって適正に係止される状態を得ることができる。
【００７６】
また、斯かるもとにあっては、ハウジング１１にそれに設けられた板状部材差込み部１２を通じて差し込まれたフレキシブル印刷配線基板４０に対しての、導電性シェル１４に形成された一対のロック部２０による係止、及び、ハウジング１１に一体的に設けられたロック解除部３０を用いてのロック部２０による係止の解除をなすにあたり、例えば、ハウジング１１に対して回動可能とされるアクチュエータを設けることが不要とされ、それに加えて、導電性シェル１４をハウジング１１に対して回動可能とする必要がなく、ハウジング１１に対して固定された導電性シェル１４をコネクタ装置１０の主配線基板への固定のために利用することができて、別途、コネクタ装置１０を主配線基板に固定するための部材を備えることが不要とされる。その結果、コネクタ装置１０を用いる場合には、その部品点数を比較的少として製造コストの低減を効果的に図ることができる。
【００７７】
それに加えて、フレキシブル印刷配線基板４０に対しての一対のロック部２０による係止の解除を、ハウジング１１における上方端面部側において導電性シェル１４の外方に突出する一対のロック解除部３０の夫々における端部３２を導電性シェル１４内に向かう方向に押圧するだけで行うことができるので、フレキシブル印刷配線基板４０に対しての一対のロック部２０による係止を極めて簡単な操作によって解除することができるとともに、斯かる操作に各ロック解除部３０の周囲に不所望なスペースを設けることが必要とされない。
【００７８】
さらに、コネクタ装置１０においては、一対のロック部２０が形成されるとともにハウジング１１に対して固定できるものとされる導電性シェル１４が、ハウジング１１における板状部材差込み部１２が設けられた部分及びその周囲部分を除く他の部分の表面の大部分を覆うものとして配されるので、導電性シェル１４の複数のコンタクト１３についての特性インピーダンス調整への貢献を大とすることができ、さらに、導電性シェル１４による外部からの電磁波ノイズに対するシールド効果を効果的に得ることができる。
【００７９】
このようなコネクタ装置１０についてより詳細に見ると、一対のロック部２０の夫々における弾性アーム部２２により変位可能に支持された係止部２３が、ハウジング１１に板状部材差込み部１２を通じて差し込まれたフレキシブル印刷配線基板４０に設けられた係合部４３及び４４の夫々に係合したもとで、一対のロック解除部３０の夫々における端部３２が導電性シェル１４内に向かう方向に押圧されるとき、各ロック解除部３０の他端部３３が、対応するロック部２０の弾性アーム部２２に弾性変形を生じさせて係止部２３を変位させ、その係止部２３がフレキシブル印刷配線基板４０に設けられた係合部４３及び４４の夫々との係合を解除するので、フレキシブル印刷配線基板４０に対しての一対のロック部２０による係止及び一対のロック部２０による係止の解除が、確実に行われる。
【産業上の利用可能性】
【００８０】
以上のような本発明に係るコネクタ装置は、例えば、フレキシブル印刷配線基板等とされる配線板状部材の主配線基板への取付けに用いられる、板状部材差込み部が設けられたハウジングと、ハウジング内に配列配置されて設けられる複数のコンタクトと、ハウジングを覆う導電性シェルとを備えたコネクタ装置であって、部品点数を比較的少として製造コストの低減を図ることができ、さらに、導電性シェルによる外部からの電磁波ノイズに対するシールド効果を効果的に得ることができるもとで、ハウジングに板状部材差込み部を通じて差し込まれた配線板状部材に対するハウジングからの不所望な抜脱を阻止するための係止及びその係止の解除を確実に行えるものとして、様々な電子機器等に広く適用され得るものである。
【符号の説明】
【００８１】
１０・・・コネクタ装置，  １１・・・ハウジング，    １２・・・板状部材差込み部，  １３・・・コンタクト，  １４・・・導電性シェル，  １５・・・（導電性シェル１４の）左背面部，  １６・・・（導電性シェル１４の）右背面部，  １７・・・（導電性シェル１４の）帯状背面部，  １８・・・（導電性シェル１４の）上面部，  １９・・・接地用コンタクト，  ２０・・・ロック部，  ２１・・・（導電性シェル１４の）下面部，  ２２・・・弾性アーム部，  ２３・・・係止部，  ２３ａ・・・傾斜面，  ２３ｂ・・・（係止部２３の）端部，  ３０・・・ロック解除部，  ３１・・・連結部，  ３２，３３・・・( ロック解除部３０の) 端部，  ３５，３６・・・突起，  ４０・・・フレキシブル印刷配線基板，  ４１・・・接地接続部，  ４２・・・接続端子部，  ４３，４４・・・係合部，  ４５，４６・・・先端平板部，  ４７・・・カバーフィルム
【図１】
2011040246.tif 000003
【図２】
2011040246.tif 000004
【図３】
2011040246.tif 000005
【図４】
2011040246.tif 000006
【図５】
2011040246.tif 000007
【図６】
2011040246.tif 000008
【図７】
2011040246.tif 000009
【図８】
2011040246.tif 000010
【図９】
2011040246.tif 000011
【図１０】
2011040246.tif 000012
【図１１】
2011040246.tif 000013
【図１２】
2011040246.tif 000014
【図１３】
2011040246.tif 000015
【図１４】
2011040246.tif 000016
【図１５】
2011040246.tif 000017
【図１６】
2011040246.tif 000018
【図１７】
2011040246.tif 000019